(57)【要約】【課題】  これまでストラップに別々に用いられていた連結金具と調整金具とを一体化した一体型のストラップ用マルチ金具を提供することにある。【解決手段】  ストラップ用マルチ金具１０は、連結手段２０と調整手段３０とを一体的に備える。連結手段２０は、フック状に形成されてストラップ本体の端部を折り返して設けられた袋部をその開口部２２から挿通することで係止する係止部材２１と、係止部材２１の開口部２２を閉塞する蓋部材２５とからなる。調整手段３０は、コ字形の枠体３１に２本の平行な調整片３２，３３を備える。【選択図】  図１
0003195977.tif 000002
【実用新案登録請求の範囲】
【請求項１】
携帯品に取り付けて使用されるストラップ用の金具であって、
帯状のストラップ本体の間に設けられて、ストラップ本体の連結状態を着脱自在にする連結手段とストラップ本体の長さを調整する調整手段とを一体的に備えたことを特徴とするストラップ用マルチ金具。
【請求項２】
前記連結手段は、フック状に形成されてストラップ本体の端部を折り返して設けられた袋部をその開口部から挿通することで係止する係止部材と、係止部材の開口部を閉塞する蓋部材とからなることを特徴とする請求項１記載のストラップ用マルチ金具。
【請求項３】
前記連結手段の係止部材は、開口部寄りの鉤型先端部分にストラップ本体の袋部を抜け落ちを防止するための返しを備えたことを特徴とする請求項２記載のストラップ用マルチ金具。
【請求項４】
前記連結手段の蓋部材は、開口部の閉塞状態を維持するために係止部材との係合構造を備えたことを特徴とする請求項２又は３記載のストラップ用マルチ金具。
【請求項５】
前記調整手段は、コ字形の枠体にストラップ本体の端部を折り返して保持するための２本の平行な調整片を備えたことを特徴とする請求項１から４のいずれかに記載のストラップ用マルチ金具。
【請求項６】
前記連結手段及び前記調整手段をカバーするカバー部材を備えたことを特徴とする請求項１から５のいずれかに記載のストラップ用マルチ金具。
【請求項７】
請求項１から６のいずれかに記載のストラップ用マルチ金具を備えたことを特徴とするストラップ。
【考案の詳細な説明】
【技術分野】
【０００１】
本願考案は、カメラやビデオなどの携帯品に取り付けて使用されるストラップに関するものである。
【背景技術】
【０００２】
カメラやビデオなどの携帯品には、その持ち運びに便利なようにストラップ（ショルダーストラップやネックストラップなど）を取り付けることが多い。
そして、このようなストラップについては、取り外し等のために帯状又は紐状等の本体部分の一部が連結金具によって着脱自在になるように連結されている（例えば、特許文献１の符号１６「連結具」など）。
また、ストラップの長さを調整するために、帯状又は紐状等の本体部分に長さ調整金具を備えている（例えば、特許文献２の符号１５「調整金具」など）。
【先行技術文献】
【特許文献】
【０００３】
【特許文献１】実用新案登録第３１８８４３９号公報
【特許文献２】実開平５−７３６３８号公報
【考案の概要】
【考案が解決しようとする課題】
【０００４】
しかし、これまでは、連結金具と調整金具とはそれぞれ別々に用いられており、これを一体化したものは存在していなかった。
そこで、本願考案者は、この連結金具と調整金具とを一体化した一体型のマルチ金具の提供を目的として、本願考案を完成するに至った。
【課題を解決するための手段】
【０００５】
本願考案の内容は、以下の通りである。
第１の考案は、携帯品に取り付けて使用されるストラップ用の金具であって、帯状のストラップ本体の間に設けられて、ストラップ本体の連結状態を着脱自在にする連結手段とストラップ本体の長さを調整する調整手段とを一体的に備えたことを特徴とするストラップ用マルチ金具である。
ここで「携帯品」には、カメラやビデオなどの持ち運びされるもの全てが含まれる（以下、同じ）。
第２の考案は、前記連結手段が、フック状に形成されてストラップ本体の端部を折り返して設けられた袋部をその開口部から挿通することで係止する係止部材と、係止部材の開口部を閉塞する蓋部材とからなることを特徴とする同ストラップ用マルチ金具である。
第３の考案は、前記連結手段の係止部材が、開口部寄りの鉤型先端部分にストラップ本体の袋部を抜け落ちを防止するための返しを備えたことを特徴とする同ストラップ用マルチ金具である。
第４の考案は、前記連結手段の蓋部材が、開口部の閉塞状態を維持するために係止部材との係合構造を備えたことを特徴とする同ストラップ用マルチ金具である。
第５の考案は、前記調整手段が、コ字形の枠体にストラップ本体の端部を折り返して保持するための２本の平行な調整片を備えたことを特徴とする同ストラップ用マルチ金具である。
第６の考案は、前記連結手段及び前記調整手段をカバーするカバー部材を備えたことを特徴とする同ストラップ用マルチ金具である。
第７の考案は、上記第１の考案から第６の考案に係るストラップ用マルチ金具を備えたことを特徴とするストラップである。
【考案の効果】
【０００６】
本願考案によれば、以下のような効果を有する。
（１）ストラップ用マルチ金具は、ストラップ本体の連結状態を着脱自在にする連結手段とストラップ本体の長さを調整する調整手段とを一体的に備えたことで、連結金具と調整金具が分散しているストラップと比較してその構造がシンプルなものとなり、デザイン的にもスッキリとしたものになる。また、ストラップの製造工程（組立工程）においても、効率的に組み立てることができるとともに、コストの削減にもつながる。
（２）ストラップ用マルチ金具の連結手段が、フック状に形成されてストラップ本体の端部を折り返して設けられた袋部をその開口部から挿通することで係止する係止部材と、係止部材の開口部を閉塞する蓋部材とからなることで、ワンタッチでストラップ本体の連結状態を解除（リリース）できる。
（３）ストラップ用マルチ金具の連結手段の係止部材が、開口部寄りの鉤型先端部分に返しを備えたことで、連結手段の蓋部材が万一開いたとしてもストラップ本体の袋部がこの返しに引っかかり、ストラップ本体の抜け落ちを防止することができる。
（４）ストラップ用マルチ金具の連結手段の蓋部材が、係止部材との係合構造を備えたことで開口部の閉塞状態を維持することができ、連結手段によるストラップ本体の連結状態が確実・安定したものとなる。
（５）ストラップ用マルチ金具の調整手段が、コ字形の枠体に２本の平行な調整片を備えたことで、ストラップ本体の端部を折り返して保持することができ、簡易かつ確実にストラップ本体の長さ調整ができる。
（６）ストラップ用マルチ金具（連結手段及び調整手段）をカバーするカバー部材を備えたことで、ストラップに取り付けたカメラやビデオなどの携帯品をこのストラップ用マルチ金具によって傷つけることを防止できる。また、連結手段の蓋部材が開かずにストラップ本体の連結状態がより確実・安定したものとなる。
【図面の簡単な説明】
【０００７】
【図１】本願考案に係るストラップ用マルチ金具の説明図。
【図２】本願考案に係るストラップ用マルチ金具の使用例。
【考案を実施するための形態】
【０００８】
本願考案の実施形態を図面に基づいて説明する。
図１は、本願考案に係るストラップ用マルチ金具１０（以下「マルチ金具１０」）の全体斜視図である。
マルチ金具１０は、連結手段２０と調整手段３０とを一体的に備える。
まず、連結手段２０は、ストラップ本体（図示省略）の連結状態を着脱自在にするものであり、フック状に形成されてストラップ本体の端部を折り返して設けられた袋部をその開口部２２から挿通することで係止する係止部材２１と、係止部材２１の開口部２２を閉塞する蓋部材２５とからなる。係止部材２１は、開口部２２寄りの鉤型先端部分に内側へ隆起する返し２３を備える。また、蓋部材２５は、係合突起２６を有して係止部材２１に設けられたバネ棒２７と係合する係合構造を備える。
【０００９】
次に、調整手段３０は、ストラップ本体（図示省略）の長さを調整するものであり、コ字形の枠体３１に２本の平行な調整片３２，３３を備える。この調整片３２にストラップ本体の端部を通して折り返し、折り返したストラップ本体を調整片３３とその上を通るストラップ本体の間に通すことによってストラップ本体を保持することができ、ストラップ本体の長さ調整が可能になる。
【００１０】
なお、図１（ａ）は、連結手段２０の蓋部材２５を開いた状態を示し、図１（ｂ）は、連結手段２０の蓋部材２５を閉じた状態を示している。ストラップ本体の連結状態を解除したい場合には、図１（ｂ）から図１（ａ）の状態にすればよいので、連結手段２０は、ワンタッチでストラップ本体の連結状態を解除（リリース）できる。また、マルチ金具１０の材質は、金属製のものに限定するものではなく、樹脂製その他の材質のものであってもよい。
【００１１】
図２は、本願考案に係るマルチ金具１０の使用例を示す説明図である。
図２（ａ）では、マルチ金具１０にストラップ本体５０，６０を取り付けた状態を図示している。まず、マルチ金具１０の蓋部材２５を開放した状態で、ストラップ本体５０の端部を折り返して設けられた袋部５１を係止部材２１の開口部２２から挿通することで、係止部材２１にストラップ本体５０を取り付ける。また、マルチ金具１０の調整手段３０には、上記したようにストラップ本体６０を通して取り付ける。これにより、マルチ金具１０は、ストラップ本体５０，６０の連結状態を着脱自在にできるとともに、ストラップ本体５０，６０の長さ調整を自在に行える。
【００１２】
図２（ｂ）では、マルチ金具１０にストラップ本体５０，６０を取り付けた状態でこれにカバー部材４０を装着する様子を図示している。カバー部材４０はマルチ金具１０を全体的に被覆できる大きさになっており、ストラップ本体６０の長手方向をスライドさせてマルチ金具１０に装着される。カバー部材４０がマルチ金具１０に装着されることによって、このマルチ金具１０が直接カメラやビデオなどの携帯品に接触することがなくなるので、携帯品などをマルチ金具１０によって傷つけることを防止できる。また、蓋部材２５が開かなくなるので、蓋部材２５のロック機能としての役割も果たす。なお、カバー部材４０の材質は特に限定するものではないが、シリコン製のような柔らかい材質のものが好ましい。
【産業上の利用可能性】
【００１３】
本願考案は、カメラやビデオなどの携帯品に取り付けて使用されるストラップとして幅広く利用できるものである。
【符号の説明】
【００１４】
１０  ストラップ用マルチ金具（マルチ金具）
２０  連結手段
２１  係止部材
２２  開口部
２３  返し
２５  蓋部材
２６  係合突起
２７  バネ棒
３０  調整手段
３１  枠体
３２  調整片
３３  調整片
４０  カバー部材
５０  ストラップ本体
５１  袋部
６０  ストラップ本体
【図１】
0003195977.tif 000003
【図２】
0003195977.tif 000004